(57)【要約】【課題】  補強棒に、耐震性を高める機能と仏具を兼用させ、神聖な墓を単に傷つけてしまう従来の不具合を解消するとともに、墓に対する付加価値を高める。【解決手段】  基礎部４の上方に配した大台６とこの大台６の上に載置した墓石部７間の内部に、上下に貫通して跨がる補強棒１を収容した墓Ｓを構成するに際して、補強棒１に、任意に意味付した文字Ｗ及び／又は図形Ｆを表示することにより、補強棒１を仏具に兼用させる。文字Ｗ及び／又は図形Ｆは、補強棒１の表面に所定の深さで彫刻するとともに、宗教に係わる文字Ｗ及び／又は図形Ｆを使用し、宗教に係わる魂入れを行う。【選択図】  図１
2005139746.tif 000002
【特許請求の範囲】
【請求項１】
基礎部の上方に配した大台とこの大台の上に載置した墓石部間の内部に、上下に貫通して跨がる補強棒を収容した墓において、前記補強棒に、任意に意味付した文字及び／又は図形を表示することにより、前記補強棒を仏具に兼用させたことを特徴とする墓。
【請求項２】
前記文字及び／又は前記図形は、前記補強棒の表面に所定の深さで彫刻することを特徴とする請求項１記載の墓。
【請求項３】
宗教に係わる前記文字及び／又は前記図形を使用し、前記宗教に係わる魂入れを行った補強棒を用いることを特徴とする請求項１又は２記載の墓。
【請求項４】
前記基礎部とこの基礎部に載置した柵石部を結合する補強柱及び／又は前記基礎部と前記大台を結合する補強柱を備えることを特徴とする請求項１記載の墓。
【発明の詳細な説明】
【技術分野】
【０００１】
本発明は、基礎部の上方に配した大台とこの大台の上に載置した墓石部間の内部に収容する補強棒を備えた墓に関する。
【背景技術】
【０００２】
一般に、墓は複数の墓材（石材）を積上げた構造を有するため、地震等により倒壊しやすい問題がある。
【０００３】
このため、従来より耐震構造を付加した墓も、例えば、特開平９−６０３４７号公報，特開平９−１３７６３８号公報及び特開平１１−３５０７９５号公報等で提案されている。これらの墓は、いずれも積上げた複数の石材、具体的には、下台，上台及び石碑の内部に、上下方向に沿って相互に貫通する貫通孔又は挿入孔を形成し、この貫通孔又は挿入孔に、相互の石材に跨がる棒部材を収容することにより耐震性を高めたものである。
【特許文献１】特開平９−６０３４７号公報
【特許文献２】特開平９−１３７６３８号公報
【特許文献３】特開平１１−３５０７９５号公報
【発明の開示】
【発明が解決しようとする課題】
【０００４】
しかし、上述した従来の墓は、神聖な石碑の中心に挿入孔を形成し、この挿入孔に耐震性のみを目的とした無機的な補強部品（棒部材）を挿入して構成していたため、いわば神聖な墓を傷つけることになり、墓の構造としては好ましいものではなかった。
【０００５】
本発明は、このような背景技術に存在する課題を解決した墓の提供を目的とするものである。
【課題を解決するための手段】
【０００６】
本発明は、上述した課題を解決するため、基礎部４の上方に配した大台６とこの大台６の上に載置した墓石部７間の内部に、上下に貫通して跨がる補強棒１を収容した墓Ｓを構成するに際して、補強棒１に、任意に意味付した文字Ｗ及び／又は図形Ｆを表示することにより、補強棒１を仏具に兼用させたことを特徴とする。
【発明の効果】
【０００７】
このような構成を有する本発明に係る墓Ｓによれば、補強棒１に、任意に意味付した文字Ｗ及び／又は図形Ｆを表示して仏具を兼用させたため、補強棒１は、耐震性を高める機能に加えて、仏具として用いることができる。したがって、神聖な墓Ｓを単に傷つけてしまう従来の不具合を解消できるとともに、墓Ｓに対する付加価値を高めることができるという顕著な効果を奏する。
【０００８】
ところで、墓石部７の中心に思いを込めた仏具を埋め込むことは、ある種意味のあることであり、本来、補強棒１に関連付けることなく、別途用意した仏具を埋め込むことができるが、本発明は、補強棒１に、このような仏具を兼用させたものである。
【発明を実施するための最良の形態】
【０００９】
本発明に係る墓Ｓによれば、最良の形態により、文字Ｗ及び／又は図形Ｆは、補強棒１の表面に所定の深さで彫刻する。また、宗教に係わる文字Ｗ及び／又は図形Ｆを使用し、宗教に係わる魂入れを行った補強棒１を用いる。これにより、補強棒１は、単なる無機的な補強部品に留まることなく、実質的な仏具となる。
【００１０】
一方、基礎部４とこの基礎部４に載置した柵石部５を結合する補強柱２…及び／又は基礎部４と大台６を結合する補強柱３…を備える。このような別途の補強柱２…，３…を用いることにより、上下に位置する墓材４，５，６…同士における複数の部位を結合するため、十分な強度を確保できるとともに、墓Ｓ全体の耐震性を高めることができ、特に、柵石部５の位置ズレや倒壊、或いは大台６から上に配した墓石部７の位置ズレや倒壊を有効に防止できる。また、別途の補強柱２…，３…により、墓材（石材）４，５，６…に対する大掛かりな加工作業が不要となり、施工の容易化を実現することができる。
【実施例】
【００１１】
次に、本発明に係る好適な実施例を挙げ、図面に基づき詳細に説明する。
【００１２】
まず、本実施例に係る墓Ｓに用いる補強棒１について、図１〜図３を参照して具体的に説明する。
【００１３】
補強棒１は、図３に示すように、基礎部４の上方に配した大台６とこの大台６の上に載置した墓石部７間の内部に、上下に貫通して跨がる長さを有し、かつ断面が図２に示すように円形をなす一本の丸棒により形成する。なお、補強棒１の形成素材としては、ステンレス材が望ましい。
【００１４】
そして、この補強棒１の周面には、図１に示すように、任意に意味付した文字Ｗ及び図形Ｆを表示する。実施例は、宗教に係わる文字Ｗ及び図形Ｆ、具体的には、文字Ｗとして「南無阿弥陀佛」を表示するとともに、図形Ｆとしてお寺の印を表示する。なお、図形Ｆの具体的な形態は図示を省略した。勿論、表示する文字Ｗ及び図形Ｆは、任意に意味付した文字Ｗ及び図形Ｆを適用することができ、例えば、所有者の好きな言葉や家紋等を表示することができる。この場合、文字Ｗ及び図形Ｆは、補強棒１の周面に、サンドブラストにより彫刻し、彫刻部Ｃ…を形成する。彫刻部Ｃ…の深さＬは任意であるが、補強棒１の直径に対して１／４程度の深さＬを選定することにより、彫刻としての意匠性を高めることができる。
【００１５】
一方、文字Ｗ及び図形Ｆを表示した補強棒１に対して、お経をあげるなどにより、宗教に係わる魂入れを行う。これにより、補強棒１は、単なる無機的な補強部品に留まることなく実質的な仏具となる。したがって、補強棒１は耐震性を高める機能に加えて、仏具を兼用する。よって、神聖な墓Ｓを単に傷つけてしまうに留まる従来の不具合を解消できるとともに、墓Ｓに対する付加価値を高めることができる。
【００１６】
次に、本実施例に係る墓Ｓに用いる二種類の補強柱２，３について、図６を参照して説明する。
【００１７】
補強柱２は、スチール或いはステンレス等の金属プレートＰを、Ｌ形に折曲し、かつ折線方向の一端（下端）に下端面部２ａを設けて構成する。これにより、補強柱２は、長方形の第一鉛直面部２ｐ，長方形の第二鉛直面部２ｑ及び三角形の下端面部２ａを組合わせた一体の部材となる。なお、各面部２ｐ，２ｑ，２ａの相隣る突合わせ部分は、溶接等により接合する。そして、第一鉛直面部２ｐには二つのボルト挿通孔２１，２１を設けるとともに、第二鉛直面部２ｑには、二つのボルト挿通孔２２，２２を設け、さらに、下端面部２ａには、ボルト挿通孔２３を設ける。
【００１８】
また、補強柱３は、スチール或いはステンレス等の金属プレートＰを、Ｌ形に折曲し、かつ折線方向の両端（上下端）に端面部３ａ，３ｂを設けて構成する。これにより、補強柱３は、長方形の第一鉛直面部３ｐ，長方形の第二鉛直面部３ｑ，三角形の下端面部３ａ及び三角形の上端面部３ｂを組合わせた一体の部材となる。なお、各面部３ｐ，３ｑ，３ａ，３ｂの相隣る突合わせ部分は、溶接等により接合する。そして、下端面部３ａには、ボルト挿通孔２４を設けるとともに、上端面部３ｂには、ボルト挿通孔２５を設ける。
【００１９】
次に、本実施例に係る墓Ｓの建墓方法について、図３〜図６を参照して説明する。
【００２０】
まず、地面Ｅに、基礎部４を施行する。基礎部４は、型枠を使用し、鉄筋とモルタルにより造型する。この際、基礎部４のほぼ中央には、納骨室３１を設ける。
【００２１】
そして、基礎部（墓材）４の上面に、柵石部（墓材）５を設置するとともに、基礎部４の上方に、大台（墓材）６を配するため、柵石部５と大台６をそれぞれ基礎部４に対して固定する補強構造を付加する。この場合、前述した補強柱２と３を、それぞれ四つずつ使用し、図３及び図４に示すように、各補強柱２…は、平面視が矩形となる柵石部５の内側面における四隅にそれぞれ重なるように基礎部４の上面に起立させるとともに、各補強柱３…は、平面視が矩形となる大台６の底面における四隅付近を支持するように基礎部４の上面に起立させるため、基礎部４における各補強柱２…に対応する位置には、基礎施行時に、それぞれアンカボルト３２…を埋設し、また、基礎部４における各補強柱３…に対応する位置には、基礎施行時に、それぞれアンカナット３３…を埋設する。なお、アンカナット３３…は、基礎部４の施行後に穴空けし、打ち込んでもよい。
【００２２】
そして、基礎部４を施行し、モルタルが固化したなら、図５に示すように、各アンカボルト３２…に各補強柱２…のボルト挿通孔２３…をセットし、上から各アンカボルト３２…にそれぞれナット３４…を螺着することにより、各補強柱２…を基礎部４の上面に固定する。また、同様に、各アンカナット３３…の位置に各補強柱３…のボルト挿通孔２４…をセットし、上から各アンカナット３３…にそれぞれボルト３５…を螺着することにより、各補強柱３…を基礎部４の上面に固定する。
【００２３】
次いで、図４に示すように、柵石部５における後部の柵石５ａを基礎部４の上面に設置する。柵石５ａには、予め、後側に配した左右一対の各補強柱２…のボルト挿通孔２２…に対応する位置に穴空けを行い、図５に示すアンカナット３６…を打ち込む。そして、ボルト３７…を、ボルト挿通孔２２…に通した後、アンカナット３６…に螺着することにより、各補強柱２…と柵石５ａを固定する。
【００２４】
この後、基礎部４の上面に、納骨室３１に連通する筒形の囲石３８を設置し、この囲石３８の上端と柵石５ａの上面に、囲石３８と柵石５ａに跨がる大台６を載置する。なお、囲石３８の上端と柵石５ａの上面は、同じ高さに設定する。図４に大台６の位置を仮想線で示す。また、大台６の底面には、予め、各補強柱３…のボルト挿通孔２５…に対応する位置に穴空けを行い、アンカナット４０…を打ち込む。これにより、図５に示すように、ボルト４１…を、ボルト挿通孔２５…に通した後、アンカナット４０…に螺着することにより、各補強柱３…と大台６を固定する。各補強柱３…は、このように基礎部４と大台６間に介在させるため、各補強柱３…の長さ（高さ）は、囲石３８（柵石５ａ）と同じ高さを選定する。
【００２５】
よって、大台６は、基礎部４の上面に起立した四本の補強柱３…により支持固定される。この場合、地震等により横揺れが発生しても、大台６は、各補強柱３…自身により位置ズレや倒壊が防止されるとともに、補強柱３…により大台６と基礎部４の間隔が規制され、かつ大台６と基礎部４間に囲石３８が存在するため、この囲石３８と各補強柱３…によっても大台６の位置ズレや倒壊が防止される。このように、大台６は、各補強柱３…及び囲石３８の双方によって横揺れに対する補強がなされる。
【００２６】
次いで、柵石部５における左側部の柵石５ｂと右側部の柵石５ｃを、上述した後部の柵石５ａと同様に、対応する各補強柱２…に固定する。この場合、各柵石５ｂと５ｃの後部は、後側に配した左右一対の各補強柱２…における他方のボルト挿通孔２１，２１…を用いて固定するとともに、各柵石５ｂと５ｃの前部は、前側に配した左右一対の各補強柱２…における一方のボルト挿通孔２１，２１…を用いて固定する。この後、柵石部５における前部の柵石５ｄを上述した後部の柵石５ａと同様に、対応する各補強柱２…、即ち、前部に配した左右一対の各補強柱２…の他方のボルト挿通孔２２，２２…を用いて固定する。なお、各柵石５ｂ，５ｃ，５ｄには、各ボルト挿通孔２１，２２…に対応する位置に穴空けを行い、アンカナット３６…を打ち込む。各補強柱２…は、このように基礎部４と柵石部５を固定するため、各補強柱２…の長さ（高さ）は、柵石部５の高さよりも短く（低く）なるように選定する。
【００２７】
よって、柵石部５は、基礎部４の上面に起立した四本の補強柱２…により固定される。この場合、柵石部５の全体が補強柱２…により基礎部４の上面に固定されるとともに、四つの各柵石５ａ〜５ｄも各補強柱２…により連結され、地震等の横揺れに対する柵石部５の位置ズレや倒壊が防止される。このように、各補強柱２…は、基礎部４に対する柵石部５の固定（補強）と各柵石５ａ〜５ｄ同士の連結（補強）の双方の機能を兼ねることになる。
【００２８】
次いで、柵石部５と囲石３８間の空間には、盛土を行い、この盛土の上に玉舎利を敷く。なお、玉舎利の上面は、柵石部５の上端付近に一致させる。また、囲石３８の上端前部は、上方に開放されるため、蓋石４２（図４参照）を載せて閉塞する。そして、大台６の上に墓石部７を載置する。実施例の墓石部７は、下から上に、下台４３，上台４４，石碑４５を備えている。この場合、大台６の内部から石碑４５の内部には、予め貫通孔４６を形成しておき、この貫通孔４６に、別途用意した補強棒１を収容する。これにより、図３に示す墓Ｓが得られる。
【００２９】
このように、本実施例に係る墓Ｓによれば、補強棒１により、大台６から墓石部７まで補強でき、もって、大台６から上に配した墓石部７の倒壊を有効に防止できるとともに、これに加え、補強棒１に、任意に意味付した文字Ｗ及び／又は図形Ｆを表示することにより、仏具を兼用させたため、補強棒１は、耐震性を高める単なる無機的な補強部品に留まることなく、実質的な仏具として用いることができる。したがって、神聖な墓を単に傷つけてしまう従来の不具合を解消できるとともに、墓Ｓに対する付加価値を高めることができる。
【００３０】
しかも、別途用意した補強柱２…，３…により、上下に位置する基礎部４と柵石部５同士、さらには基礎部４と大台６同士における複数の部位を結合したため、十分な強度を確保できるとともに、墓Ｓの全体の耐震性を高めることができる。また、別途用意した補強柱２…，３…を用いるため、基礎部４，柵石部５，大台６に対する大掛かりな加工作業が不要となり、施工の容易化を実現することができる。
【００３１】
以上、実施例について詳細に説明したが、本発明は、このような実施例に限定されるものではなく、細部の構成，形状，素材，数量等において、本発明の要旨を逸脱しない範囲で、任意に変更，追加，削除することができる。
【図面の簡単な説明】
【００３２】
【図１】本発明の好適な実施例に係る墓に用いる補強棒の一部を示す正面図、
【図２】図１中Ｘ−Ｘ線断面図、
【図３】同墓の断面正面図、
【図４】同補強構造を付加した墓の断面平面図、
【図５】同補強構造の一部を拡大して示す断面図、
【図６】同補強構造に用いる補強柱の斜視図、
【符号の説明】
【００３３】
１    補強棒
２…  補強柱
３…  補強柱
４    基礎部
５    柵石部
６    大台
７    墓石部
Ｓ    墓
Ｗ    任意に意味付した文字
Ｆ    任意に意味付した図形
【図１】
2005139746.tif 000003
【図２】
2005139746.tif 000004
【図３】
2005139746.tif 000005
【図４】
2005139746.tif 000006
【図５】
2005139746.tif 000007
【図６】
2005139746.tif 000008